【手続補正書】
【提出日】平成18年11月8日(2006.11.8)
【手続補正１】
【補正対象書類名】特許請求の範囲
【補正対象項目名】全文
【補正方法】変更
【補正の内容】
【特許請求の範囲】
【請求項１】
ナローバンドサービス（アナログ又はＲＮＩＳ）およびブロードバンドサービス（ｘ−ＤＳＬ）を提供するアクセスネットワークに接続されている、銅線ケーブルによる端末設備（ＩＴＣ）の少なくとも一つの高ビットレート伝送チャネルのインピーダンスマッチング装置であり、前記端末設備は、ｘ−ＤＳＬタイプの少なくとも一つの高ビットレートモデム（Ｍ）と、少なくとも一つの接続端子（Ｐ；Ｐ１、Ｐ２、Ｐ３）を備えているものであり、該インピーダンスマッチング装置は：
−アジャストモジュール（１０、３０）であって、前記少なくとも一つの接続端子（Ｐ；Ｐ１、Ｐ２、Ｐ３）に設置され、ＲＣ回路で構成されるもので、終端インピーダンスが前記高ビットレートモデム（Ｍ）に接続されていないときに、前記接続端子（Ｐ；Ｐ１、Ｐ２、Ｐ３）に該終端インピーダンスを挿入するようになっているアジャストモジュールと、
−カップリングモジュール（２０、４０）であって、前記高ビットレートモデム（Ｍ）が前記接続端子（Ｐ；Ｐ１、Ｐ２、Ｐ３）に接続されているときに、前記アジャストモジュール（１０）と一体化するようになっていることで、インピーダンスがブロードバンドサービスの高ビットレート伝送に対して透過的となるように、接続端子に挿入された前記インピーダンスを変換するようになっているカップリングモジュールとを備えていることを特徴とするインピーダンスマッチング装置。
【請求項２】
アジャストモジュール（１０、３０）のＲＣ回路が、少なくとも一つの抵抗（Ｒ）と、コンデンサ（Ｃ１、Ｃ２）および少なくとも一つの可変容量ダイオード（Ｄ１、Ｄ２）を直列で備えていることを特徴とする、請求項１に記載のインピーダンスマッチング装置。
【請求項３】
アジャストモジュール（１０、３０）が、分布フィルタ（２００）と並列に配置されていることを特徴とする、請求項１又は請求項２に記載のインピーダンスマッチング装置。
【請求項４】
アジャストモジュール（１０）が、偶数個の可変容量ダイオード（Ｄ１、Ｄ２）を備えていることを特徴とする、請求項２に記載のインピーダンスマッチング装置。
【請求項５】
可変容量ダイオード（Ｄ１、Ｄ２）が逆直列に配置されていることを特徴とする、請求項４に記載のインピーダンスマッチング装置。
【請求項６】
カップリングモジュール（２０）が抵抗（Ｒ１、Ｒ２）を備え、該抵抗のそれぞれがアジャストモジュール（１０）のコンデンサ（Ｃ１、Ｃ２）に並列に接続されるようになっていることで、可変容量ダイオード（Ｄ１、Ｄ２）の少なくとも一方に逆方向のバイアスを与えるようになっていることを特徴とする、請求項１〜請求項５のいずれか一つに記載のインピーダンスマッチング装置。
【請求項７】
アジャストモジュール（３０）が可変容量ダイオード（Ｄ１）を具備することと、カップリングモジュール（４０）が整流ダイオード（Ｄ２、Ｄ３、Ｄ４、Ｄ５）で構成された整流ブリッジと、抵抗ブリッジ（Ｒ３、Ｒ４）を具備することを特徴とする、請求項１又は請求項３に記載のインピーダンスマッチング装置。
【請求項８】
抵抗（Ｒ１、Ｒ２；Ｒ３、Ｒ４）の少なくとも一つが、２ＭΩと５ＭΩの間に含まれる値を有していることを特徴とする、請求項６又は請求項７に記載のインピーダンスマッチング装置。
【請求項９】
カップリングモジュール（２０、４０）が、高ビットレートモデム（Ｍ）に接続されていることを特徴とする、請求項６〜請求項８のいずれか一つに記載のインピーダンスマッチング装置。
【請求項１０】
高ビットレートモデム（Ｍ）がＶＤＳＬタイプのモデムであることを特徴とする、請求項１〜請求項９のいずれか一つに記載のインピーダンスマッチング装置。
【請求項１１】
ナローバンドサービスおよびブロードバンドサービスに関するアクセスネットワークに接続され、接続端子（Ｐ；Ｐ１、Ｐ２、Ｐ３）と少なくとも一つのｘ−ＤＳＬタイプの高ビットレートモデム（Ｍ）を備えた銅線ケーブルによる端末設備（ＩＴＣ）であり、請求項１〜請求項１０のいずれか一つによるインピーダンスマッチング装置を具備することを特徴とする端末設備。
【請求項１２】
マッチング装置が、高ビットレートモデム（Ｍ）が接続端子（Ｐ；Ｐ１、Ｐ２、Ｐ３）に接続されているときに一体化するようになっている二つの個別のモジュール（１０、２０；３０、４０）を有しており、第一のモジュール（１０；３０）がネットワークへのアクセスに対する前記接続端子（Ｐ；Ｐ１、Ｐ２、Ｐ３）に設置され、他方のモジュール（２０；４０）が高ビットレートモデム（Ｍ）の回路分枝端子に配置されていることを特徴とする、請求項１１に記載の端末設備。
【請求項１３】
ナローバンドサービスおよびブロードバンドサービスを提供するアクセスネットワークに接続されている、銅線ケーブルによる端末設備（ＩＴＣ）の少なくとも一つの高ビットレート伝送チャネルのインピーダンスマッチング方法であり、前記端末設備は、少なくとも一つの高ビットレートモデム（Ｍ）と、少なくとも一つの接続端子（Ｐ；Ｐ１、Ｐ２、Ｐ３）を備えているものであり、該インピーダンスマッチング方法は、以下の過程、すわなち、
‐前記接続端子が高ビットレートモデム（Ｍ）に接続されていないときに、前記接続端子（Ｐ；Ｐ１、Ｐ２、Ｐ３）に終端インピーダンスを挿入することを含むアジャスト過程と、
‐そして、前記高ビットレートモデムが接続端子に接続されているときに、該インピーダンスがブロードバンドサービスの高ビットレート伝送に対して透過的となるように、接続端子に挿入された前記インピーダンスを変換することを含むカップリング過程とを含んでいることを特徴とする、インピーダンスマッチング方法。
【請求項１４】
ナローバンドサービスおよびブロードバンドサービスを提供するアクセスネットワークに接続されている、銅線ケーブルによる端末設備（ＩＴＣ）の少なくとも一つの高ビットレート伝送チャネルのインピーダンスマッチング装置であり、前記端末設備は、少なくとも一つの高ビットレートモデム（Ｍ）と、少なくとも一つの接続端子（Ｐ；Ｐ１、Ｐ２、Ｐ３）を備えているものであり、該インピーダンスマッチング装置は、以下のもの、すなわち、
−アジャストモジュール（１０、３０）であり、前記少なくとも一つの接続端子（Ｐ；Ｐ１、Ｐ２、Ｐ３）に設置され、終端インピーダンスが前記高ビットレートモデム（Ｍ）に接続されていないときに、前記接続端子（Ｐ；Ｐ１、Ｐ２、Ｐ３）に該終端インピーダンスを挿入するようになっているアジャストモジュールと、
−カップリングモジュール（２０、４０）であり、前記高ビットレートモデム（Ｍ）が前記接続端子（Ｐ；Ｐ１、Ｐ２、Ｐ３）に接続されているときに、前記アジャストモジュール（１０）と一体化するようになっていることで、インピーダンスがブロードバンドサービスの高ビットレート伝送に対して透過的となるように、接続端子に挿入された前記インピーダンスを変換するようになっているカップリングモジュール、とを備えることを特徴とするインピーダンスマッチング装置。
【請求項１５】
ナローバンドサービスおよびブロードバンドサービスを提供するアクセスネットワークに接続されている、銅線ケーブルによる端末設備（ＩＴＣ）であり、該端末設備は、接続端子（Ｐ；Ｐ１、Ｐ２、Ｐ３）と少なくとも一つの高ビットレートモデム（Ｍ）とを備えているものであり、該端末設備が、以下のもの、すなわち、
−アジャストモジュール（１０、３０）であり、前記少なくとも一つの接続端子（Ｐ；Ｐ１、Ｐ２、Ｐ３）に設置され、終端インピーダンスが前記高ビットレートモデム（Ｍ）に接続されていないときに、前記接続端子（Ｐ；Ｐ１、Ｐ２、Ｐ３）に該終端インピーダンスを挿入するようになっているアジャストモジュールと、
−カップリングモジュール（２０、４０）であり、前記高ビットレートモデム（Ｍ）が前記接続端子（Ｐ；Ｐ１、Ｐ２、Ｐ３）に接続されているときに、前記アジャストモジュール（１０）と一体化するようになっていることで、インピーダンスがブロードバンドサービスの高ビットレート伝送に対して透過的となるように、接続端子に挿入された前記インピーダンスを変換するようになっているカップリングモジュール、とを備えるインピーダンスマッチング装置を具備することを特徴とする、端末設備。
【手続補正２】
【補正対象書類名】明細書
【補正対象項目名】００１９
【補正方法】変更
【補正の内容】
【００１９】
本発明は、さらに、ナローバンドサービスおよびブロードバンドサービスに係るアクセスネットワークに接続され、また、複数の接続端子と少なくとも一つのｘ−ＤＳＬタイプの高ビットレートモデムを備えた、銅線ケーブルによる端末設備にも関するものである。この端末設備は、本発明に係るインピーダンスマッチング装置を備えている点に注目すべきものである。
本発明は、また、ナローバンドサービスおよびブロードバンドサービスを提供するアクセスネットワークに接続されている、銅線ケーブルによる端末設備（ＩＴＣ）の少なくとも一つの高ビットレート伝送チャネルのインピーダンスマッチング方法にも関するものでもあり、前記端末設備は、少なくとも一つの高ビットレートモデム（Ｍ）と、少なくとも一つの接続端子（Ｐ；Ｐ１、Ｐ２、Ｐ３）を備えているものであり、該インピーダンスマッチング方法は、以下の手順、すなわち、
‐前記接続端子が高ビットレートモデム（Ｍ）に接続されていないときに、前記接続端子（Ｐ；Ｐ１、Ｐ２、Ｐ３）に終端インピーダンスを挿入することを含むアジャスト手順と、
‐そして、前記高ビットレートモデムが接続端子に接続されているときに、該インピーダンスがブロードバンドサービスの高ビットレート伝送に対して透過的となるように、接続端子に挿入された前記インピーダンスを変換することを含むカップリング手順とを含んでいることを特徴とする。